(57)【特許請求の範囲】
【請求項１】
液体を吸収する吸収体と、この吸収体より外側に配置された防水材とを積層して本体を形成する母乳パッドを収容するために、帯状の部材を折り畳むことにより構成した収容体であって、
前記収容体の中に２つ折りとした前記母乳パッドが、それぞれの曲折部を互いに異なる方向に配置され、これら２つの母乳パッドを重ねて収容することにより、前記各曲折部に対応した箇所の厚みをほぼ一致させた
ことを特徴とする、母乳パッド収容体。
【請求項２】
液体を吸収する吸収体と、この吸収体より外側に配置された防水材とを積層して本体を形成する母乳パッドを収容するために、帯状の部材を折り畳むことにより構成した収容体であって、
一方向に帯状に長い前記収容体の中央領域に対して、２つ折りとした前記母乳パッドが同じ向きにして、重ねられることなく、２つ配置されており、
前記収容体の前記中央領域に対して、長さ方向に連設された両端部領域の少なくとも一方が前記２つの母乳パッドの上に折り重ねられるようにして、２つの母乳パッドを包んでなる
ことを特徴とする、母乳パッド収容体。
【請求項３】
前記中央領域に連設された端部領域の一方を折り返して、いずれか一方の母乳パッドに重ね、その上に他方の母乳パッドを重ねるようにして包んだ
ことを特徴とする、請求項２に記載の母乳パッド収容体。
【請求項４】
前記中央領域から長さ方向に連設された両端部領域が互いに向き合うように内側に折り返された状態で、各端部領域と前記中央領域の各側縁部とが互いに固定されている
ことを特徴とする、請求項２に記載の母乳パッド収容体。
【請求項５】
前記中央領域の表面には、各母乳パッドの接着部を形成するための接着剤が予め適用された状態にて、各母乳パッドが収容されている
ことを特徴とする、請求項２ないし４のいずれかに記載の母乳パッド収容体。
【請求項６】
液体を吸収する吸収体と、この吸収体より外側に配置された防水材とを積層して本体を形成する母乳パッドを収容するために、帯状の部材を折り畳むことにより構成した収容体であって、
前記収容体の中に２つ折りとした前記母乳パッドが、それぞれの曲折部を互いに異なる方向に外向きにして、並んで配置されるように収容した
ことを特徴とする、母乳パッド収容体。
【請求項７】
液体を吸収する吸収体と、この吸収体より外側に配置された防水材とを積層して本体を形成する母乳パッドを収容するために、帯状の部材を折り畳むことにより構成した収容体であって、
一方向に帯状に長い前記収容体の中央領域に、２つの前記母乳パッドがそれぞれ２つ折りとした状態にて、各母乳パッドの曲折部を外側として、重ねられることなく、配置され、
さらに、前記収容体の前記中央領域に対して、長さ方向に連設された両端部領域のそれぞれが、前記２つの母乳パッドの上に折り重ねられるようにして、２つの母乳パッドを包んでなる
ことを特徴とする、母乳パッド収容体。
【発明の詳細な説明】
【０００１】
【発明の属する技術分野】
この発明は、授乳期の母親が、ブラジャー等の下着と乳房との間に介装するための母乳パッドを収容する収容体の改良に関するものである。
【０００２】
【従来の技術】
従来、このような母乳パッドは、例えば図１８に示すように使用されている。図において、ブラジャー２の各カップ３，３の内側には、ほぼ円形のドーム状でなる母乳パッド１，１がひとつづつ介装されるようになっている。
【０００３】
このような母乳パッド１，１は、正面図である図１９（ａ）及び側面図である図１９（ｂ）に示すように、円形のドーム状に形成されており、厚み方向に複数の柔軟材料を積層して構成されている。すなわち、母乳パッド１は、使用者の肌と直接接触する内側表面に表面材を配置し、その次に吸収材を配置し、少なくとも外側には液体が吸収材からしみ出て着衣を汚すことがないように防水材料が積層されて構成されている。
【０００４】
また、この防水材料の表面側の所定の位置には、接着剤等を適用した接着部４が設けられており、図１８に示すようにブラジャー２のカップ３の内側にこの接着部４を貼りつけて固定して用いる。これにより、下着と母乳パッド１とがずれないようにして使用されている。
【０００５】
【発明が解決しようとする課題】
ところで、このような母乳パッド１は、その販売に際して、図２０の矢印に示すように２つ折りされて、図２１に示すような半円もしくは半月形にして、個装収容体５にひとつずつ包装されている。
この場合、個装収容体５は、例えばポリエチレンフィルム等により形成された袋体でなっており、その一面（図２２において上面）は、中央付近で幅方向に設けられ切断線５ｃに沿って切り離し、その切り口，もしくは切り口を手掛かりにして、上面部の一方，例えば５ａ側を切り離して、内部に収容されている２つ折り母乳パッド１を取り出すようになっている。
そして、取り出した母乳パッド１については、図１８にて説明した剥離紙４を手で剥がして、下着の内側に装着するようにして使用されている。
【０００６】
さらに、個装収容体５にひとつずつ収容された母乳パッド１は、例えば図２３に示すように多数個重ねて、複数列にして、図２４に示すようなポリエチレンフィルムでなる柔軟で防水性があるパッケージ６に収容して販売ルートに提供されることが好ましい。
【０００７】
しかしながら、上述した個装収容体５にあっては、中に収容される母乳パッド１を二つ折りにした状態においては、図２０に示すように、図において左側の高さｈ１は右側の高さｈ２よりも大きくなってしまう。
また、図２１ないし図２３に示されているように、円形の母乳パッド１を２つ折りにして収容しているために、図２３で示す領域７においては、収容物が個装収容体５の内側の空間を満たしていない。
このようなことが原因となって、図２３に示すように個装収容体５を重ねると、全体として、図において奥側が低くなるように傾斜してしまう。したがって、これを収容するための矩形状の柔軟なパッケージ６に収容しにくいことから、型保持性のある紙製の箱に収容していた。しかし、このような紙製の箱は、流通においた場合に、例えば、箱の角部等が潰されたりすると、商品価値を損なうという問題がある。また、このような箱は、変形しにくいため、かさばってしまい、運搬に不便である。
【０００８】
さらに、個装収容体５では、母乳パッド１をひとつしか収容できず、図１８に示すように２つ同時に使用する場合には、使用者は、２つの個装収容体５を各別に破いて、母乳パッド１を取り出す必要があり、日常の使い勝手において不便な商品であった。
【０００９】
本発明は、このような問題を解決するためになされたもので、簡単な作業で、ひとつ，あるいは２つの母乳パッドを収容体から取り出すことができ、各収容体をまとめてパッケージとして流通に置くさいに、柔軟で防水性のパッケージとすることが容易な母乳パッド収容体を提供すること目的としている。
【００１０】
【課題を解決するための手段】
上記目的は、請求項１の発明によれば、液体を吸収する吸収体と、この吸収体より外側に配置された防水材とを積層して本体を形成する母乳パッドを収容するために、帯状の部材を折り畳むことにより構成した収容体であって、前記収容体の中に２つ折りとした前記母乳パッドが、それぞれの曲折部を互いに異なる方向に配置され、これら２つの母乳パッドを重ねて収容することにより、前記各曲折部に対応した箇所の厚みをほぼ一致させた母乳パッド収容体により、達成される。
請求項１の構成によれば、収容体は、帯状の部材を折り畳むことにより構成したので、製造工程において、連続した長いシート状材料を供給することにより、容易に収容体を製造することができる。そして、２つ折りにされた各母乳パッドは、互いに逆向きとなって重なることになる。これにより、２つ折りにした収容体の形状は、左右で同じ厚みとなり、これら収容体を多数重ねてパッケージを形成する際に、柔軟な素材にてバランスのとれた矩形状あるいは直方体等のパッケージを容易に形成できる。
しかも、ひとつの収容体に２つの母乳パッドを形成したため、ひとつの収容体を破くだけで２個の母乳パッドを同時に取り出すことができる。
【００１１】
上記目的は、請求項２の発明によれば、液体を吸収する吸収体と、この吸収体より外側に配置された防水材とを積層して本体を形成する母乳パッドを収容するために、帯状の部材を折り畳むことにより構成した収容体であって、一方向に帯状に長い前記収容体の中央領域に対して、２つ折りとした前記母乳パッドが同じ向きにして、重ねられることなく、２つ配置されており、前記収容体の前記中央領域に対して、長さ方向に連設された両端部領域の少なくとも一方が前記２つの母乳パッドの上に折り重ねられるようにして、２つの母乳パッドを包んでなる母乳パッド収容体により、達成される。
請求項２の構成によれば、帯状に長い収容体の中央領域に２つ折りにされた母乳パッドが向きを揃えて配置されている。このため、収容体の両端部の少なくとも一方を折り返して、どちらかの母乳パッドの上に配置した状態にて、２つの母乳パッドの間で、収容体を２つ折りとし、母乳パッドどうしを重ねると、各母乳パッドは、互いに逆向きとなって重なることになる。
これにより、２つ折りにした収容体の形状は、左右で同じ厚みとなり、これら収容体を多数重ねてパッケージを形成する際に、柔軟な素材にてバランスのとれた矩形状あるいは直方体等のパッケージを容易に形成できる。
しかも、ひとつの収容体に２つの母乳パッドを形成したため、ひとつの収容体を破くだけで２個の母乳パッドを同時に取り出すことができる。
【００１２】
請求項３の発明は、請求項２の構成において、前記中央領域に連設された端部領域の一方を折り返して、いずれか一方の母乳パッドに重ね、その上に他方の母乳パッドを重ねるようにして包んだことを特徴とする。
【００１３】
請求項３の構成によれば、帯状に長い形状の収容体の中央領域に直列に母乳パッドを２つ配置した後は、収容体の一方の端部を内側にして巻き込んでいく要領で、収容体による包装を行うことができる。
【００１４】
請求項４の発明は、請求項２の構成において、前記中央領域から長さ方向に連設された両端部領域が互いに向き合うように内側に折り返された状態で、各端部領域と前記中央領域の各側縁部とが互いに固定されていることを特徴とする。
【００１５】
請求項４の構成によれば、収容体の各端部領域が、それぞれ対応する位置の収容体の中央領域の側縁部と固定されることで、各母乳パッドに対応した個別の袋状部分を形成することができ、各袋状領域をそれぞれ破くことで、母乳パッドをひとつずつ取り出すことができる。
【００１６】
請求項５の発明は、請求項２ないし４の構成において、前記中央領域の表面には、各母乳パッドの接着部を形成するための接着剤が予め適用された状態にて、各母乳パッドが収容されていることを特徴とする。
【００１７】
請求項５の構成によれば、収容体から母乳パッドを取り出すだけで、母乳パッドの表面には接着部が露出するから、従来のように剥離紙を剥がす必要がない。
【００１８】
また、上記目的は、請求項６の発明によれば、液体を吸収する吸収体と、この吸収体より外側に配置された防水材とを積層して本体を形成する母乳パッドを収容するために、帯状の部材を折り畳むことにより構成した収容体であって、前記収容体の中に２つ折りとした前記母乳パッドが、それぞれの曲折部を互いに異なる方向に外向きにして、並んで配置されるように収容した、母乳パッド収容体により、達成される。
請求項６の構成によれば、収容体の中央領域に２つ折りにされた母乳パッドがそれぞれ曲折部を外側にして、互いに異なる向きにして並んで配置されている。このため、収容体の形状は、左右で同じ厚みとなり、これら収容体を多数重ねてパッケージを形成する際に、柔軟な素材にてバランスのとれた矩形状あるいは直方体等のパッケージを容易に形成できる。
しかも、ひとつの収容体に２つの母乳パッドを形成したため、ひとつの収容体を破くだけで２個の母乳パッドを同時に取り出すことができる。
【００１９】
また、上記目的は、請求項７の発明によれば、液体を吸収する吸収体と、この吸収体より外側に配置された防水材とを積層して本体を形成する母乳パッドを収容するために、帯状の部材を折り畳むことにより構成した収容体であって、一方向に帯状に長い前記収容体の中央領域に、２つの前記母乳パッドがそれぞれ２つ折りとした状態にて、各母乳パッドの曲折部を外側として、重ねられることなく、配置され、さらに、前記収容体の前記中央領域に対して、長さ方向に連設された両端部領域のそれぞれが、前記２つの母乳パッドの上に折り重ねられるようにして、２つの母乳パッドを包んでなる、母乳パッド収容体により、達成される
請求項７の構成によれば、帯状に長い収容体の中央領域に２つ折りにされた母乳パッドがそれぞれ曲折部を外側にして、互いに異なる向きに配置されている。
このため、収容体の両端部をそれぞれ内方に折り返して、各母乳パッドの上に配置した状態では、収容体の形状は、左右で同じ厚みとなり、これら収容体を多数重ねてパッケージを形成する際に、柔軟な素材にてバランスのとれた矩形状あるいは直方体等のパッケージを容易に形成できる。
しかも、ひとつの収容体に２つの母乳パッドを形成したため、ひとつの収容体を破くだけで２個の母乳パッドを同時に取り出すことができる。
【００２０】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の実施形態による母乳パッドの外観を示す概略斜視図であり、図２は、図１の母乳パッドを装着した状態で、その内部構造を示す概略断面図である。
これらの図を参照して、先ず本実施形態における母乳パッドの構造を説明する。
【００２２】
図２に示すように、母乳パッド１０は、使用者が装着した状態では、その乳房１４の前面に位置する。この状態にて母乳パッド１０の外側（図２の左側）には、防水材１１が配置されており、内面側（図２において右側）には、表面材１３が配置されている。
そして、表面材１３と防水材１１の間には、吸収体１２が配置されており、これら表面材１３、防水材１１、吸収材１２は、例えば、それぞれほぼ円形に形成され、重ねられて、積層状態にて、母乳パッド１０の本体１８を構成している。
【００２３】
上記防水材１１は、液体を通さないが、好ましくは水蒸気を透過させて蒸れを防止でき、ある程度可撓性を備えている材料が選択されることが好ましい。また、防水材１１は、従来用いられていた熱変形可能な防水材と比べると柔軟な素材で形成されている。また、防水材１１を構成する材料は、耐熱性と防水性を備えていればよく、従来のように熱変形可能な材料でなくてもよい。
このような材料としては、例えばポリエチレンラミネート紙、ポリエチレンラミネート不織布やメルトブロー製法の不織布等が用いられる。
【００２４】
また、防水材１１の表面には、図１に示すように、接着部４が設けられている。この接着部４は、後述するように収容体に適用された接着剤が付着されることによって形成されるようにしてもよく、あるいは、そのような構造にしない場合には、防水材１１の表面に接着剤を適用し、その上に剥離紙を貼ることで、これを剥がして、図５にて説明したようなブラジャー２のカップ３の内側にこの接着部４を貼りつけて固定できるようになっている。
【００２５】
上記表面材１３は、直接使用者の肌と接触する部材であり、母乳等の水分を良く透過し、肌ざわりのよい素材が選択される。つまり、表面材１３は、直接使用者の肌に触れるため、肌を必要以上に損なうことなく、肌触りのよい点等を考慮して、これに適した材料が選択される。好ましくは、ドライメッシュシート（ポリエチレン等により形成した網目状シート）や、不織布が用いられる。
【００２６】
吸収体１２は、液体吸収性に優れた素材が選択され、パルプの繊維体や積層体やシート体が用いられる。さらに吸収体１２には、これらパルプ素材等に液体吸収性に優れ、液体をそのまま，あるいは半固化もしくは固化して保持する機能を備える材質の粒状物であるポリマーが混入使用されている。
このような材料としては、例えば吸水性の重合体が適しており、例えばポリアクリル酸塩系共重合体、澱粉−アクリロニトリルグラフト共重合体の加水分解物、澱粉−アクリル酸グラフト共重合体、ポリビニルアルコール−アクリル酸塩共重合体、カルボキシメチルセルロース変成物等が挙げられる。
そして、吸収体１２は、図３に示すように、ティシュ１５に包まれている。これにより、上記粒状のポリマー等が漏れでないようになっている。
以上の構成でなる母乳パッド１０は、図２０にて説明したのと同様に、半分に折り曲げられることによって、半円形もしくは半月形となって、図３の収容体に収容される。
【００２７】
図３は、上記母乳パッド１０を２つ収容して単位包装するための収容体２０を示している。
図において、収容体は、一方向に長い帯状の部材であり、後述する製造工程において、例えば、帯状にしたポリエチレン製のフィルムとして供給されるものである。
単位包装するための収容体２０としてのフィルムでは、２つの母乳パッド１０を直列に収容するのに十分な幅と長さを備える中央の領域２１と、この中央領域２１の各端部から長さ方向にそれぞれ連設された２つの端部領域２２と２３が形成されている。
【００２８】
図４に示すように、収容体２０の中央領域２１には、その長さ方向に直列に並ぶように２つの母乳パッド１０，１０が載置されている。この状態では、各母乳パッド１０，１０は上述したようにそれぞれ２つ折りされており、図４にて示されているように、同じ向きにされている。例えば図において上側に各２つ折り母乳パッド１０，１０のＲ状の周縁が位置するように、その向きが揃えられている。
【００２９】
さらに、図４に示すように、収容体２０の各端部領域２２，２３は、それぞれ内側に、かつ互いの端面が向き合うように折り返されるようになっている。
ここで、図４の仮想の直線Ｌにて示されているように、中央領域２１を等距離に載置されるべき分割する場合，すなわち、中央領域２１に置かれる母乳パッド１０どうしの間でさらに領域を分割する。そして、各端部領域２２，２３のそれぞれの側縁部２２ａ，２２ｂ，２３ａ，２４ｂに対応した位置となる中央領域２１の各側縁部を２１ａ，２１ｂ，２１ｃ，２１ｄとする。これら各側縁部は、後述する製造工程において、端部領域２２の側縁２２ａは、その下に位置する中央領域２１の側縁部２１ａと、端部領域２２の側縁２２ｂは、その下に位置する中央領域２１の側縁部２１ｂと、端部領域２３の側縁２３ａは、その下に位置する中央領域２１の側縁部２１ｃと、端部領域２３の側縁２３ｂは、その下に位置する中央領域２１の側縁部２１ｅとそれぞれ固定される。
尚、この固定の工程は、実際は後述するように、図６の工程よりも後工程で行われることができる。
【００３０】
これにより、図４の仮想の直線Ｌと直交する方向の断面を示す図５に表されているように、各端部領域２２，２３に対応して、袋状の部分２３と２４とがそれぞれ形成される。この袋状部分２２と２３に母乳パッド１０，１０がそれぞれひとつずつ収容されている。
そして、好ましくは、端部領域２２と２３の間に、例えば、固定手段として固定用のテープ２６を貼れば、各端部領域２２と２３の各端面がほぼ閉じられて、衛生的である。
【００３１】
さらに、図４の仮想線Ｌに沿って折り曲げて、図４及び図５の矢印に示すように各袋状部分２２と２３とを重ねるようにする。これにより、収容体２０全体は、図６に示すように二つ折りの単位包装となる。
この状態では、収容体２０内において、２つ折りの母乳パッド１０，１０は、それぞれ向きを逆にして重ねられており、このため、収容体２０の図において左側の厚みＴ１（高さ）と右側の厚みＴ２（高さ）はほぼ等しくなる。
【００３２】
図７は、収容体２０による異なる包装態様における上記実施形態の変形例を示している。
図７では、収容体２０の端部領域２２だけが、母乳パッド１０，１０の間に入り込んでおり、この状態で、収容体２０の中央領域及び他の端部領域２３は、母乳パッド１０，１０の周囲をつつみこむように包装されている。
このような包装形態においても、収容体２０内において、２つ折りの母乳パッド１０，１０は、それぞれ向きを逆にして重ねられており、このため、収容体２０の図において左側と右側の厚みはほぼ等しくなる。
【００３３】
図８及び図９は、上述の実施形態における収容体と母乳パッドの接着部の詳細について説明するための図である。
図８において、母乳パッド１０の下面（防水材の表面）には、接着部４が位置しており、この接着部４には、剥離紙４２が貼られることによって仮固定されている。そして、この剥離紙４２は、収容体２０の内面に形成された接着部４３に固定されている。
つまり、この場合、接着部４と接着部４３とは、例えば異なる接着剤を使う等の手段により、接着部４３は、接着部４よりも接着力が強くなるように形成されている。
【００３４】
このため、使用者は、収容体２０を破くだけで、母乳パッド１０を取り出せる。この母乳パッド１０は取り出される時に剥離紙４２との仮固定が解除される。何故なら、収容体４０と剥離紙４２との接着部４３の接着力は、母乳パッド１０と剥離紙４２との間の接着部４の接着力よりも強いことから、収容体４０から、母乳パッド１０を取り出す作業において、これと同時に母乳パッド４０から剥離紙４２が剥がされて、接着部４が露出する。
【００３５】
図９は、上述の実施形態における収容体と母乳パッドの接着部の詳細についての別の例について説明するための図である。
図において、収容体２０の内面には、剥離部４５が形成されている。この剥離部４５は、収容体２０の剥離部４５が形成されていない内面よりも、平滑なはがれやすい面を形成している。この剥離部４５は、例えば、シリコンコートされたポリエチレンフィルムにより形成されている。
一方、母乳パッド１０の下面（防水材の表面）には、接着部４が位置しており、この接着部４には、上記剥離部４５が仮固定されている。
【００３６】
このため、使用者は、収容体２０を破くだけで、母乳パッド１０を取り出せる。この母乳パッド２０は取り出される時に接着部４が露出される。つまり、この接着部４は、収容体２０の特に剥がれやすくした剥離部４５に仮固定されているだけなので、収容体２０から、母乳パッド１０を取り出す作業において、これと同時に母乳パッド１０の接着部４と剥離部４５との仮固定が簡単に解除されて、接着部４が露出する。
【００３７】
図１０は、本発明の第２の実施形態を示している。
この実施形態において、上述の第１の実施形態と同一の符号を付した箇所は共通する構成であるから、重複する説明は省略し、以下、相違点を中心に説明する。
収容体５０は、上述の収容体２０と全く同じ構成であるが、その中に収容した母乳パッド１０，１０の収容形態が異なっている。
【００３８】
図において、収容体５０の中央領域２１には、２つの母乳パッド１０，１０がそれぞれ２つ折りした状態で配置されている。この場合、母乳パッド１０，１０は、その２つ折りとした曲折部１０ａ，１０ａが外向きにされて、互いに異なる方向を向いた状態で配置されており、各母乳パッド１０，１０の上には、それぞれ端部領域２２，２３が重ねられる。
【００３９】
さらに、第１の実施形態と異なる点は、収容体５０は、２つ折りにされない点である。したがって、図１０の状態において、収容体５０の左側の高さＴ３と右側の高さＴ４とは同じである。このため、この状態において、多数の収容体５０を重ねても、重ねた状態の左右の厚みは同じになるから、後述するような柔軟なパッケージ材３７にて包装するのに適している。
【００４０】
図１１ないし図１７は、上述のような母乳パッド１０の製造工程の後半に設けられる母乳パッド収容体２０の包装工程を簡単に示すものである。
図１１において、製造ラインの図示しないコンベヤ等の搬送手段上には、搬送方向Ａに沿って長く延びた収容体となるべきフィルム等でなる収容体材料３１が送られる。この収容体材料３１は、図３の収容体２０が延びている方向と直交する方向に長く延びるベルト状を呈している。
【００４１】
図１１に示されているように、収容体材料３１の幅方向に並ぶように、２つ一組の母乳パッド１０，１０が向きを揃えて（前述）配置される。さらに、搬送方向Ａにそって、他の組の母乳パッド１０，１０が順次等間隔にならべらて、送られるようになっている。
ここで、収容体材料３１の表面には、各母乳パッド１０の防水材１１表面に対応する位置に、例えばホットメルト等の接着剤３２，３３が適用され、その上に各母乳パッド１０が置かれる。これにより、上に置かれた各母乳パッド１０の防水材１１表面に接着部４が形成される。
【００４２】
次いで、図１２に示すように、収容体材料３１の両側縁側３４，３５は互いに内側に折り返される。この両側縁側３４，３５は、単位包装における収容体２０の端部領域２２，２３にそれぞれ対応している。
【００４３】
さらに、図１３に示すようにして、図４の仮想の直線Ｌに対応した位置にて、収容体材料３１が折り重ねられて、母乳パッド１０，１０は、図６に示した向きに互いに重なることとなる。
そして、図１４に示すように、次の工程にて、各単位包装を形成する収容体２０ごとに、その中間部分３６が例えばヒートシールにより固定されるが、この工程が、図４及び図５で説明した各袋状部分２４，２５を形成する固定の工程である。
また、この固定部３６にて、各収容体２０は、カットされることにより、単位包装の製品としての母乳パッド収容体２０が完成する。
【００４４】
次に図１５に示すように、多数の母乳パッド収容体２０が重ねられる。この場合、図６で説明したように、母乳パッド収容体２０の全体において、その厚みは同じに仕上げられているので、安定的に重ねることができる。
そして、図１６に示すように重ねた多数の母乳パッド収容体２０をさらに並列に複数列配置し、矢印に示すように周囲から加重をかけて圧縮して、図１７に示すように、パッケージ材料３７で包む。
【００４５】
この場合、縦横に重ねた多数の母乳パッド収容体２０は、ほぼ正確な矩形もしくは直方体となるから、柔軟で防水性を備えたポリエチレン等のパッケージ材料３７で包装することができ、従来のような扱いにくい紙製の箱体でなるパッケージと比較すると、流通の各過程において、極めて扱い易い。
【００４６】
また、本実施形態の母乳パッド収容体２０は、上記パッケージ性能以外にも、以下のような種々の利点を備えている。
すなわち、上述したように、２つの母乳パッド１０，１０をひとつの単位包装とすることができるので、図１８にて説明したように、ブラジャー２の各カップ３，３に母乳パッド１０，１０をそれぞれ装着しようとする場合には、使用単位に対応した便利な単位包装とすることができる。
また、ひとつの母乳パッド１０だけを使用したい場合には、図４及び図５の母乳パッド収容体２０の一方の端部領域２２または２３を摘んで、袋状部分２４，２５のいずれか一方をやぶいて、取り出すことができ、その後は、図６のように母乳パッド収容体２０を２つ折りにすれば、携行に便利である。
【００４７】
この点は、図７の変形例の場合も同様であって、図７の母乳パッド収容体３０では、端部領域２３の一端を手指にて保持して、母乳パッド収容体３０を開くと、図において、下側の母乳パッド１０を簡単に取り出すことができる。
【００４８】
さらに、図３のように、収容体２０の内面に、予め接着剤３２または３３が適用されている場合には、上記袋状部分２４，２５のいずれか一方をやぶいて、母乳パッド１０を取り出すだけで、その表面（防水材１１の表面）に接着部４を露出させることができる。
つまり、使用者が母乳パッド収容体２０を図６の状態にて、保持している場合には、図６から図５の状態に開いて、一方の端部領域２２または２３を摘んで、袋状部分２４，２５のいずれか一方をやぶき、収容されている母乳パッド１０を取り出すだけで、図１８に示すように、接着部４を利用して下着に装着することができる。したがって、従来のように個装とされた母乳パッドについて、ひとつずつその包装をやぶき、剥離紙を外すといった面倒な手順が省略され、簡単に使用することができる。
しかも、ゴミとして剥離紙が残ることもないので、出先で使用する際等においても、不要な剥離紙を処理する不便がなく、きわめて機能的で使いやすい。
【００４９】
本発明は上述の実施形態に限定されない。
例えば母乳パッド１０の本体１８は、円形である必要はなく、他の形状であってもよいことは勿論である。また、本体１８内の収容材料は、上述の部材以外のものであってもよい。
また、防水材１１や表面材１３、吸収体１２は、上述の実施形態記載の材料以外の種々の材料を選択することができる。
また、上述の各実施形態の各構成部分を任意に選択して組み合わせてもよい。
【００５０】
【発明の効果】
以上述べたように、本発明によれば、簡単な作業で、ひとつ，あるいは２つの母乳パッドを収容体から取り出すことができ、各収容体をまとめてパッケージとして流通に置くさいに、柔軟で防水性のパッケージとすることが容易な母乳パッド収容体を提供することができる。
【図面の簡単な説明】
【図１】本発明による母乳パッドの実施形態の概略斜視図である。
【図２】図１の母乳パッドを装着した状態における概略断面図である。
【図３】図１の母乳パッドを単位包装するための収容体を示す概略図である。
【図４】図３の収容体に母乳パッドを収容する状態を示す概略斜視図である。
【図５】図３の収容体に母乳パッドを収容した状態の概略縦断面図である。
【図６】図３の収容体に母乳パッドを収容した状態で二つ折りとした状態を示す概略縦断面図である。
【図７】図６に示した母乳パッド収容体の変形例を示す概略縦断面図である。
【図８】図３の収容体と母乳パッドの接着部の詳細について説明するための概略半断面図である。
【図９】図３の収容体と母乳パッドの接着部の詳細の別の例について説明するための概略半断面図である。
【図１０】本発明の母乳パッドの収容体の第２の実施形態を示す概略縦断面図である。
【図１１】図１の母乳パッドの製造工程における包装工程の一段階を示す概略説明図である。
【図１２】図１１より後段において、ベルト状に連続する収容体の搬送方向側縁を折り返すの工程を示す概略説明図である。
【図１３】図１２より後段において、ベルト状に連続する収容体の中央を折り返すの工程を示す概略説明図である。
【図１４】図１３より後段において、ベルト状に連続する収容体を単位包装毎にシールし、カットする工程を示す概略説明図である。
【図１５】図１４より後段において、製品を重ね合わせて、パッケージを形成するための一工程を示す概略説明図である。
【図１６】図１５より後段において、重ね合わせた製品を並列に配置して圧縮する工程を示す概略説明図である。
【図１７】図１６より後段において、重ね合わせた製品を圧縮後にパッケージを形成する工程を示す概略説明図である。
【図１８】従来の母乳パッドの使用状態を示す説明図である。
【図１９】（ａ）は、図１８の母乳パッドの正面図であり、（ｂ）は、母乳パッドの側面図である。
【図２０】従来の母乳パッドを二つ折りとした状態を示す正面図である。
【図２１】図２０の母乳パッドを個装した状態を示す図である。
【図２２】図２１の母乳パッドの個装の概略縦断面図である。
【図２３】図２１の母乳パッドの個装を積み重ねる状態を示す概略斜視図である。
【図２４】図２１の母乳パッドの個装を積み重ねたものをさらに複数並べて、パッケージを形成する状態を説明するための概略斜視図である。
【符号の説明】
１０・・・母乳パッド、１１・・・防水材、１２・・・吸収体、１３・・・表面材、１５・・・ティシュー、２０・・・収容体、２１・・・中央領域、２２，２３・・・端部領域、２４，２５・・・袋状部分。
【図１】
0003781334.tif 000002
【図２】
0003781334.tif 000003
【図３】
0003781334.tif 000004
【図４】
0003781334.tif 000005
【図５】
0003781334.tif 000006
【図６】
0003781334.tif 000007
【図７】
0003781334.tif 000008
【図８】
0003781334.tif 000009
【図９】
0003781334.tif 000010
【図１０】
0003781334.tif 000011
【図１１】
0003781334.tif 000012
【図１２】
0003781334.tif 000013
【図１３】
0003781334.tif 000014
【図１４】
0003781334.tif 000015
【図１５】
0003781334.tif 000016
【図１６】
0003781334.tif 000017
【図１７】
0003781334.tif 000018
【図１８】
0003781334.tif 000019
【図１９】
0003781334.tif 000020
【図２０】
0003781334.tif 000021
【図２１】
0003781334.tif 000022
【図２２】
0003781334.tif 000023
【図２３】
0003781334.tif 000024
【図２４】
0003781334.tif 000025